(57)【要約】【課題】  モードレバーのラックがピニオンから外れないようにすること。【解決手段】  アンローディング信号に基づいてモードレバー８を他方向ｂに移動させることにより、磁気テープをテープカセットに引き込み、該モードレバー８を他方向ｂの終端まで移動させたときに、そのモードレバー８の他端部８Ｂ側の端縁８ｃがシャーシ１から折り曲げた支持片６の凹部１２内に位置するようにした磁気テープ装置において、前記支持片６のモードレバー８の下面８ｄに対向する端板部６Ａが、該モードレバー８の移動方向ａ，ｂに対して直交する方向に沿う仮想線ｋからそのモードレバー８の中央部に向けて折り曲げられて１５°〜７５°の角度αだけ傾斜されている。【選択図】        図２
0003128903.tif 000002
【実用新案登録請求の範囲】
【請求項１】
シャーシの一端側の前方角部近傍から下向きに直角に折り曲げた脚片をケーシングの底
面に当接させると共に、該シャーシの他端側の前方角部近傍のビス孔を通ってケーシング
の底面上に突設したボス部のねじ孔にビスをねじ込むことにより、そのシャーシがケーシ
ング内の所定位置に固定され、前記ボス部に隣接してシャーシに貫通孔を貫設することに
より切り残した略コ字状支持片が下向きに直角に折り曲げられ、モードレバーの一端部に
形成した長孔状支持孔をシャーシ上の支持ピンに嵌合させると共に、該モードレバーの他
端部の一側縁を前記支持片の凹部内に嵌入させることにより、そのモードレバーがシャー
シ上に一定範囲内移動可能に配置され、前記シャーシの一端側にヘッドシリンダを間に挟
んで一対の長孔状ガイド孔が形成されると共に、該各ガイド孔に一対のガイドピン付き移
動台がそれぞれ前後進可能に係合され、該各移動台がローディング機構を介して前記モー
ドレバーの一端部に連動連結され、前記シャーシの他端側にローディングモータにより連
動機構を介して正逆回転されるピニオンが配置され、該ピニオンが前記モードレバーの他
端部の他側縁に形成したラックに噛合可能に形成されており、ローディング信号に基づい
てローディングモータにより連動機構、ピニオン及びラックを介してモードレバーを一方
向に移動させることにより、ローディング機構を介して各移動台を各ガイド孔に沿って前
進させ、該各移動台上のガイドピンでテープカセットから磁気テープを引き出して前記ヘ
ッドシリンダに巻き付け、アンローディング信号に基づいて前記とは逆の動作によりモー
ドレバーを他方向に移動させることにより、各移動台を各ガイド孔に沿って後進させ、磁
気テープをテープカセットに引き込み、前記モードレバーを他方向の終端まで移動させた
ときに、そのモードレバーの他端部側の端縁が前記支持片の凹部内に位置するようにした
磁気テープ装置において、前記支持片のモードレバーの下面に対向する端板部が、該モー
ドレバーの移動方向に対して直交する方向に沿う仮想線からそのモードレバーの中央部に
向けて折り曲げられて１５°〜７５°（好ましくは３０°〜６０°）の角度だけ傾斜され
ると共に、該端板部がモードレバーの他端部の長手方向に沿う中心軸の近傍まで延ばされ
、且つ、前記端板部をモードレバーの下面に向けて折り曲げることにより、その端板部の
上面がモードレバーの下面にほぼ平行して近接されていることを特徴とする磁気テープ装
置。
【請求項２】
シャーシの一端側の前方角部近傍から下向きに直角に折り曲げた脚片をケーシングの底
面に当接させると共に、該シャーシの他端側の前方角部近傍のビス孔を通ってケーシング
の底面上に突設したボス部のねじ孔にビスをねじ込むことにより、そのシャーシがケーシ
ング内の所定位置に固定され、前記ボス部に隣接してシャーシに貫通孔を貫設することに
より切り残した略コ字状支持片が下向きに直角に折り曲げられ、モードレバーの一端部に
形成した長孔状支持孔をシャーシ上の支持ピンに嵌合させると共に、該モードレバーの他
端部の一側縁を前記支持片の凹部内に嵌入させることにより、そのモードレバーがシャー
シ上に一定範囲内移動可能に配置され、前記シャーシの一端側にヘッドシリンダを間に挟
んで一対の長孔状ガイド孔が形成されると共に、該各ガイド孔に一対のガイドピン付き移
動台がそれぞれ前後進可能に係合され、該各移動台がローディング機構を介して前記モー
ドレバーの一端部に連動連結され、前記シャーシの他端側にローディングモータにより連
動機構を介して正逆回転されるピニオンが配置され、該ピニオンが前記モードレバーの他
端部の他側縁に形成したラックに噛合可能に形成されており、ローディング信号に基づい
てローディングモータにより連動機構、ピニオン及びラックを介してモードレバーを一方
向に移動させることにより、ローディング機構を介して各移動台を各ガイド孔に沿って前
進させ、該各移動台上のガイドピンでテープカセットから磁気テープを引き出して前記ヘ
ッドシリンダに巻き付け、アンローディング信号に基づいて前記とは逆の動作によりモー
ドレバーを他方向に移動させることにより、各移動台を各ガイド孔に沿って後進させ、磁
気テープをテープカセットに引き込み、前記モードレバーを他方向の終端まで移動させた
ときに、そのモードレバーの他端部側の端縁が前記支持片の凹部内に位置するようにした
磁気テープ装置において、前記支持片のモードレバーの下面に対向する端板部が、該モー
ドレバーの移動方向に対して直交する方向に沿う仮想線からそのモードレバーの中央部に
向けて折り曲げられて１５°〜７５°（好ましくは３０°〜６０°）の角度だけ傾斜され
ていることを特徴とする磁気テープ装置。
【請求項３】
前記支持片の端板部がモードレバーの他端部の長手方向に沿う中心軸の近傍まで延ばさ
れていることを特徴とする請求項２に記載の磁気テープ装置。
【請求項４】
前記支持片の端板部をモードレバーの下面に向けて折り曲げることにより、その端板部
の上面がモードレバーの下面にほぼ平行して近接されていることを特徴とする請求項２ま
たは３に記載の磁気テープ装置。
【考案の詳細な説明】
【技術分野】
【０００１】
本考案はモードレバーのラックがピニオンから外れないようにした磁気テープ装置に関
する。
【背景技術】
【０００２】
従来、磁気テープ装置の一例として図７〜図１１に示すものがある。図７は磁気テープ
装置の平面図、図８は一部切欠き正面図、図９は同裏面図、図１０は同側面図、図１１は
要部の斜視図である。
【０００３】
図７〜及び図１１に示すように、シャーシ１の一端側の前方角部近傍から下向きに直角
に折り曲げた脚片２をケーシング３の底面に当接させると共に、該シャーシ１の他端側の
前方角部近傍のビス孔４（図１１参照）を通ってケーシング３の底面上に突設したボス部
３ａのねじ孔にビス７をねじ込むことにより、そのシャーシ１がケーシング３内の所定位
置に固定され、前記ボス部３ａに隣接してシャーシ１に貫通孔５を貫設することにより切
り残した略コ字状支持片６が下向きに直角に折り曲げられ、該支持片６をボス部３ａとシ
ャーシ１の一方の側板部１ａとの間でそのボス部３ａに接近させている（図８参照）。
【０００４】
図９〜図１１に示すように、前記モードレバー８の一端部８Ａに形成した長孔状支持孔
９をシャーシ１上の支持ピン１０に嵌合させ、該支持ピン１０に抜止用ワッシャ１１を嵌
合させると共に、該モードレバー８の他端部８Ｂの一側縁８ａを前記支持片６の凹部１２
内に嵌入させることにより、そのモードレバー８がシャーシ１上に矢印ａ，ｂ方向に一定
範囲内移動可能に配置されている。
【０００５】
図１０に示すように、前記支持片６は、凹部１２より下方側に位置する端板部６Ａと、
凹部１２の側方に位置する側板部６Ｂと、シャーシ１に接して凹部１２より上方側に位置
する基板部６Ｃとを有している。
【０００６】
図７及び図９に示すように、前記シャーシ１の一端側にヘッドシリンダ１４を間に挟ん
で一対の長孔状ガイド孔１５が形成されると共に、該各ガイド孔１５に一対のガイドピン
１６付き移動台１７がそれぞれ前後進ｃ，ｄ可能に係合され、該各移動台１７がローディ
ング機構１８を介して前記モードレバー８の一端部８Ａに連動連結され、前記シャーシ１
の他端側にローディングモータ１９により連動機構２０を介して正逆回転ｅ，ｆされるピ
ニオン２１ａが配置され、該ピニオン２１ａが前記モードレバー８の他端部８Ｂの他側縁
８ｂに形成したラック２２に噛合可能に形成されている。
【０００７】
図９及び図１１に示すように、前記ピニオン２１ａは、カム溝（図示せず）付き回転カ
ム２３に同心状に一体形成した円板２１の外周面のほぼ半周にわたって形成されている。
なお、図１１に示すように、前記貫通孔５に隣接してシャーシ１に貫通孔２４を貫設する
ことにより切り残した略Ｌ字状補助片２５が下向きに直角に折り曲げられ、該補助片２５
の凹部２６内にモードレバー８の他端部８Ｂの一側縁８ａが嵌入されている。
【０００８】
図９に示すように、前記連動機構２０は、回転カム２３の外周縁に形成したウォームホ
イール２７と、該ウォームホイール２７に噛合するウォームギヤ２８とを有し、該ウォー
ムギヤ２８がプーリ２９及びベルト３０を介してローディングモータ１９の回転軸に連動
連結されており、該ローディングモータ１９により連動機構２０（プーリ２９及びベルト
３０、ウォームギヤ２８、ウォームホイール２７）、回転カム２３、ピニオン２１ａ及び
ラック２２を介してモードレバー８を矢印ａ，ｂ方向に移動させる。
【０００９】
図９に示すように、前記ローディング機構１８は、シャーシ１に枢着されて互いに噛合
する一対の扇形歯車３２と、該各扇形歯車３２に一体形成されたアーム３３と、該各アー
ム３３を前記各移動台１７に連結する連結リンク３４とを有し、一方の扇形歯車３２に同
心状に一体形成した円板３５とモードレバー８の一端部８Ａとの間でシャーシ１上に略扇
形カム板３６が回転可能に配置され、該カム板３６の広幅状円弧面に形成した歯部３６ａ
と円板３５の外周面に部分的に形成した歯部３５ａとが噛合可能に形成されると共に、カ
ム板３６の狭幅状円弧面に形成した歯部３６ｂとモードレバー８の一端部８Ａに形成した
歯部３７とが噛合可能に形成されており、モードレバー８を矢印ａ，ｂ方向に移動させ、
歯部３７，３６ｂ、３６ａ，３５ａどうしを噛合させることにより、扇形歯車３２、アー
ム３３及び連結リンク３４を介して各移動台１７をガイド孔１５に沿って前後進ａ，ｂさ
せる。
【００１０】
図７中、３９は全幅消去ヘッド、４０は音声消去ヘッド、４１は音声・コントロールヘ
ッド、４２は固定テープガイドポスト、４３はテンションポスト、４４はキャプスタン、
４５はピンチローラ、４６はテープカセットであって、磁気テープｔの供給リール４６ａ
及び巻取リール４６ｂを有する。図９中、４７はキャプスタンモータである。
【００１１】
動作を説明すると、テープカセット４６をセットすると、それを検知するローディング
信号に基づいてローディングモータ１９により連動機構２０を介してピニオン２１ａを矢
印ｅ方向に回転させることにより、該ピニオン２１ａに噛合するラック２２を介してモー
ドレバー８を一方向ａに移動させ、ローディング機構１８を介して各移動台１７を前進ｃ
させ、該各移動台１７上のガイドピン１６でテープカセット４６から磁気テープｔを引き
出してヘッドシリンダ１４に巻き付ける（図７仮想線参照）。この状態で、再生や記録ま
たは消去の動作を行う。
【００１２】
エジェクト釦を押すなどして発信されるアンローディング信号に基づいて上記とは逆の
動作が行われる。即ち、ローディングモータ１９により連動機構２０を介してピニオン２
１ａを矢印ｆ方向に回転させることにより、該ピニオン２１ａに噛合するびラック２２を
介してモードレバー８を他方向ｂに移動させ、ローディング機構１８を介して各移動台１
７を後進ｄさせ、磁気テープｔをテープカセット４６に引き込む。
【００１３】
図１１に示すように、アンローディング信号に基づいてモードレバー８を他方向ｂの終
端まで移動させたときに、そのモードレバー８の他端部８Ｂ側の端縁８ｃと支持片６とを
充分に重合させることが好ましい。
【００１４】
だが、モードレバー８の他端部８Ｂの端縁８ｃを矢印ａ方向に延ばした場合、該モード
レバー８の端縁８ｃがケーシング３の側板部３ｂに当たらないようにするために、そのモ
ードレバー８の端縁８ｃとケーシング３の側板部３ｂとの間の間隔Ｌ（図８参照）を大き
くとる必要があり、これではケーシング３が嵩張って大型化する。その一方で、支持片６
を矢印ｂ方向に移動させることも考えられるが、ボス部３ａが障害となるため、その支持
片６の移動も不可能である。要するに、図１１に示す状態から、モードレバー８の端縁８
ｃを矢印ａ方向に延ばすことも、支持片６を矢印ｂ方向に移動させることもできない。
【００１５】
そこで、アンローディング信号に基づいてモードレバー８を他方向ｂの終端まで移動さ
せたときに、そのモードレバー８の他端部８Ｂ側の端縁８ｃが支持片６の凹部１２内に位
置するように設定し（図１１の拡大図参照）、これによって、モードレバー８の他端部８
Ｂが不測に動かないように支持片６とピニオン２１ａとで挟持している。なお、関連する
技術として特許文献１に記載したものがある。
【特許文献１】実用新案登録第３０９５６７３号公報
【考案の開示】
【考案が解決しようとする課題】
【００１６】
上記従来の構成では、アンローディング信号に基づいてモードレバー８を他方向ｂの終
端まで移動させたときに、そのモードレバー８の他端部８Ｂ側の端縁８ｃが支持片６の凹
部１２内に位置されており、この状態では、端縁８ｃを支持片６にわずかに係合させてい
るだけであるから、例えば落下試験で磁気テープ装置を所定高さ位置から落下させたとき
に、その落下の衝撃で、モードレバー８のラック２２がピニオン２１ａから外れることが
ある（図１０及び図１１の仮想線参照）。
【００１７】
本考案は、上記従来の欠点に鑑み、モードレバーのラックがピニオン２から外れないよ
うにした磁気テープ装置を提供することを目的としている。
【課題を解決するための手段】
【００１８】
上記目的を達成するため、請求項１に記載の考案は、シャーシの一端側の前方角部近傍
から下向きに直角に折り曲げた脚片をケーシングの底面に当接させると共に、該シャーシ
の他端側の前方角部近傍のビス孔を通ってケーシングの底面上に突設したボス部のねじ孔
にビスをねじ込むことにより、そのシャーシがケーシング内の所定位置に固定され、前記
ボス部に隣接してシャーシに貫通孔を貫設することにより切り残した略コ字状支持片が下
向きに直角に折り曲げられ、モードレバーの一端部に形成した長孔状支持孔をシャーシ上
の支持ピンに嵌合させると共に、該モードレバーの他端部の一側縁を前記支持片の凹部内
に嵌入させることにより、そのモードレバーがシャーシ上に一定範囲内移動可能に配置さ
れ、前記シャーシの一端側にヘッドシリンダを間に挟んで一対の長孔状ガイド孔が形成さ
れると共に、該各ガイド孔に一対のガイドピン付き移動台がそれぞれ前後進可能に係合さ
れ、該各移動台がローディング機構を介して前記モードレバーの一端部に連動連結され、
前記シャーシの他端側にローディングモータにより連動機構を介して正逆回転されるピニ
オンが配置され、該ピニオンが前記モードレバーの他端部の他側縁に形成したラックに噛
合可能に形成されており、ローディング信号に基づいてローディングモータにより連動機
構、ピニオン及びラックを介してモードレバーを一方向に移動させることにより、ローデ
ィング機構を介して各移動台を各ガイド孔に沿って前進させ、該各移動台上のガイドピン
でテープカセットから磁気テープを引き出して前記ヘッドシリンダに巻き付け、アンロー
ディング信号に基づいて前記とは逆の動作によりモードレバーを他方向に移動させること
により、各移動台を各ガイド孔に沿って後進させ、磁気テープをテープカセットに引き込
み、前記モードレバーを他方向の終端まで移動させたときに、そのモードレバーの他端部
側の端縁が前記支持片の凹部内に位置するようにした磁気テープ装置において、前記支持
片のモードレバーの下面に対向する端板部が、該モードレバーの移動方向に対して直交す
る方向に沿う仮想線からそのモードレバーの中央部に向けて折り曲げられて１５°〜７５
°（好ましくは３０°〜６０°）の角度だけ傾斜されると共に、該端板部がモードレバー
の他端部の長手方向に沿う中心軸の近傍まで延ばされ、且つ、前記端板部をモードレバー
の下面に向けて折り曲げることにより、その端板部の上面がモードレバーの下面にほぼ平
行して近接されていることを特徴としている。
【００１９】
請求項２に記載の考案は、シャーシの一端側の前方角部近傍から下向きに直角に折り曲
げた脚片をケーシングの底面に当接させると共に、該シャーシの他端側の前方角部近傍の
ビス孔を通ってケーシングの底面上に突設したボス部のねじ孔にビスをねじ込むことによ
り、そのシャーシがケーシング内の所定位置に固定され、前記ボス部に隣接してシャーシ
に貫通孔を貫設することにより切り残した略コ字状支持片が下向きに直角に折り曲げられ
、モードレバーの一端部に形成した長孔状支持孔をシャーシ上の支持ピンに嵌合させると
共に、該モードレバーの他端部の一側縁を前記支持片の凹部内に嵌入させることにより、
そのモードレバーがシャーシ上に一定範囲内移動可能に配置され、前記シャーシの一端側
にヘッドシリンダを間に挟んで一対の長孔状ガイド孔が形成されると共に、該各ガイド孔
に一対のガイドピン付き移動台がそれぞれ前後進可能に係合され、該各移動台がローディ
ング機構を介して前記モードレバーの一端部に連動連結され、前記シャーシの他端側にロ
ーディングモータにより連動機構を介して正逆回転されるピニオンが配置され、該ピニオ
ンが前記モードレバーの他端部の他側縁に形成したラックに噛合可能に形成されており、
ローディング信号に基づいてローディングモータにより連動機構、ピニオン及びラックを
介してモードレバーを一方向に移動させることにより、ローディング機構を介して各移動
台を各ガイド孔に沿って前進させ、該各移動台上のガイドピンでテープカセットから磁気
テープを引き出して前記ヘッドシリンダに巻き付け、アンローディング信号に基づいて前
記とは逆の動作によりモードレバーを他方向に移動させることにより、各移動台を各ガイ
ド孔に沿って後進させ、磁気テープをテープカセットに引き込み、前記モードレバーを他
方向の終端まで移動させたときに、そのモードレバーの他端部側の端縁が前記支持片の凹
部内に位置するようにした磁気テープ装置において、前記支持片のモードレバーの下面に
対向する端板部が、該モードレバーの移動方向に対して直交する方向に沿う仮想線からそ
のモードレバーの中央部に向けて折り曲げられて１５°〜７５°（好ましくは３０°〜６
０°）の角度だけ傾斜されていることを特徴としている。
【００２０】
請求項３に記載の考案は、請求項２に記載の考案において、前記支持片の端板部がモー
ドレバーの他端部の長手方向に沿う中心軸の近傍まで延ばされていることを特徴としてい
る。
【００２１】
請求項４に記載の考案は、請求項２または３に記載の考案において、前記支持片の端板
部をモードレバーの下面に向けて折り曲げることにより、その端板部の上面がモードレバ
ーの下面にほぼ平行して近接されていることを特徴としている。
【考案の効果】
【００２２】
請求項１に記載の考案は第３の実施の形態（図５及び図６参照）に対応するものであっ
て、これによれば、モードレバーの他端部の一側縁に係合する支持片の端板部が該モード
レバーの中央部に向けて折り曲げられて所定角度傾斜されており、その傾斜角度が１５°
未満の場合には、傾斜角度が小さ過ぎて、落下の際の衝撃でモードレバーの端縁が支持片
から外れるおそれがあり、傾斜角度が７５°を超える場合にも、その傾斜角度が大き過ぎ
て、落下の際の衝撃でモードレバーの端縁が支持片から外れるおそれがある。
【００２３】
そこで、端板部の傾斜角度が１５°〜７５°（好ましくは３０°〜６０°）に設定され
ており、これによって、アンローディング信号に基づいてモードレバーを他方向の終端ま
で移動させた状態で、例えば落下試験などで磁気テープ装置を所定高さ位置から落下させ
たとしても、その落下の衝撃に対抗して端板部がモードレバーの下面を確実に支持し、該
モードレバーのラックがピニオンから不測に外れないようにすることができる。
【００２４】
また、端板部がモードレバーの他端部の長手方向に沿う中心軸の近傍まで延ばされてお
り、該支持片の端板部とモードレバーとが深く重合されているから、その端板部により落
下の衝撃に対抗してモードレバーの下面を一層確実に支持することができる。
【００２５】
更に、端板部をモードレバーの下面に向けて折り曲げることにより、該端板部の上面が
モードレバーの下面にほぼ平行して近接されており、これによって、前記端板部のモード
レバーに対する対向面積が大きいから、その端板部によりモードレバーの下面を安定して
一層確実に支持することができる。
【００２６】
請求項２に記載の考案によれば、モードレバーの他端部の一側縁に係合する支持片の端
板部が該モードレバーの中央部に向けて折り曲げられて所定角度傾斜されており、その傾
斜角度が１５°未満の場合には、傾斜角度が小さ過ぎて、落下の際の衝撃でモードレバー
の端縁が支持片から外れるおそれがあり、傾斜角度が７５°を超える場合にも、その傾斜
角度が大き過ぎて、落下の際の衝撃でモードレバーの端縁が支持片から外れるおそれがあ
る。
【００２７】
そこで、端板部の傾斜角度が１５°〜７５°（好ましくは３０°〜６０°）に設定され
ており、これによって、アンローディング信号に基づいてモードレバーを他方向の終端ま
で移動させた状態で、例えば落下試験などで磁気テープ装置を所定高さ位置から落下させ
たとしても、その落下の衝撃に対抗して端板部がモードレバーの下面を確実に支持し、該
モードレバーのラックがピニオンから不測に外れないようにすることができる。
【００２８】
請求項３に記載の考案によれば、支持片の端板部とモードレバーとが深く重合されてい
るから、その端板部により落下の衝撃に対抗してモードレバーの下面を一層確実に支持す
ることができる。
【００２９】
請求項４に記載の考案によれば、支持片の端板部のモードレバーに対する対向面積が大
きいから、その端板部によりモードレバーの下面を安定して一層確実に支持することがで
きる。
【考案を実施するための最良の形態】
【００３０】
図１及び図２は本考案の第１の実施の形態である磁気テープ装置を示すものであって、
図１は磁気テープ装置の裏面図、図２は同要部の斜視図であり、モードレバー８の他端部
８Ｂの一側縁８ａに係合する支持片６の端板部６Ａがモードレバー８の移動方向ａ，ｂに
対して直交する方向に沿う仮想線ｋからそのモードレバー８の中央部に向けて折り曲げら
れて１５°〜７５°（好ましくは３０°〜６０°）の角度αだけ傾斜されている。上記以
外の構成は図７〜図１１に示す構成とほぼ同じであるから、同一部分に同一符号を付して
その説明を省略する。
【００３１】
前記傾斜角度αが１５°未満の場合には、その傾斜角度αが小さ過ぎて、落下の際の衝
撃でモードレバー８の端縁８ｃが支持片６から外れるおそれがあり（図１０及び図１１の
仮想線参照）、傾斜角度αが７５°を超える場合にも、その傾斜角度αが大き過ぎて、落
下の際の衝撃でモードレバー８の端縁８ｃが支持片６から外れるおそれがある。
【００３２】
そこで、端板部６Ａの傾斜角度αが１５°〜７５°（好ましくは３０°〜６０°）に設
定されており、これによって、アンローディング信号に基づいてモードレバー８を他方向
ｂの終端まで移動させた状態で（図１参照）、例えば落下試験などで磁気テープ装置を所
定高さ位置から落下させたとしても、その落下の衝撃に対抗して端板部６Ａがモードレバ
ー８の下面８ｄを確実に支持し、該モードレバー８のラック２２がピニオン２１ａから不
測に外れないようにすることができる。
【００３３】
図３及び図４は本考案の第２の実施の形態である磁気テープ装置を示すものであって、
図３は磁気テープ装置の側面図、図４は要部の分解斜視図であり、モードレバー８の一側
縁８ａ及び他側縁８ｂから等間隔βをおいて該モードレバー８の他端部８Ｂの長手方向ａ
，ｂに沿って延びる中心軸Ｏの近傍まで前記支持片６の端板部６Ａが所定長さｈ分だけ延
ばされている。上記以外の構成は図１及び図２に示す第１の実施の形態とほぼ同じである
から、統一部分に同一符号を付してその説明を省略する。
【００３４】
上記構成によれば、支持片６の端板部６Ａとモードレバー８とがとが深く重合されてい
るから、その端板部６Ａにより落下の衝撃に対抗してモードレバー８の下面８ｄを一層確
実に支持することができる。
【００３５】
図５及び図６は本考案の第３の実施の形態である磁気テープ装置を示すものであって、
図４は磁気テープ装置の側面図、図５は要部の分解斜視図であり、支持片６の下縁に切れ
目４９を入れ、該切れ目４９より先端側の端板部６Ａをモードレバー８の下面８ｄに向け
て折り曲げることにより、その端板部６Ａの上面６ａがモードレバー８の下面８ｄにほぼ
平行して近接されている。上記以外の構成は図３及び図４に示す第２の実施の形態とほぼ
同じであるから、統一部分に同一符号を付してその説明を省略する。
【００３６】
上記構成によれば、支持片６の端板部６Ａのモードレバー８に対する対向面積が大きい
から、その端板部６Ａによりモードレバー８の下面８ｄを安定して一層確実に支持するこ
とができる。
【図面の簡単な説明】
【００３７】
【図１】本考案の第１の実施の形態である磁気テープ装置を示す裏面図である。
【図２】同要部の斜視図である。
【図３】本考案の第２の実施の形態である磁気テープ装置を示す側面図である。
【図４】同要部の斜視図である。
【図５】本考案の第３の実施の形態である磁気テープ装置を示す側面図である。
【図６】同要部の斜視図である。
【図７】従来例を示す平面図である。
【図８】同一部切欠き正面図である。
【図９】同裏面図である。
【図１０】同側面図である。
【図１１】同要部の斜視図である。
【符号の説明】
【００３８】
１          シャーシ
２          脚片
３          ケーシング
４          ビス孔
５          貫通孔
６          支持片
６Ａ        端板部
６ａ        端板部の上面
７          ビス
８          モードレバー
８Ａ        モードレバーの一端部
８Ｂ        モードレバーの他端部
８ａ        モードレバーの他端部の一側縁
８ｂ        モードレバーの他端部の他側縁
８ｃ        モードレバーの他端部の端縁
８ｄ        モードレバーの下面
９          支持孔
１０        支持ピン
１２        支持片の凹部
１４        ヘッドシリンダ
１５        ガイド孔
１６        ガイドピン
１７        移動台
１８        ローディング機構
１９        ローディングモータ
２０        連動機構
２１ａ      ピニオン
２２        ラック
ｋ          仮想線
α          端板部の傾斜角度
Ｏ          モードレバーの他端部の中心軸
ａ          一方向
ｂ          他方向
【図１】
0003128903.tif 000003
【図２】
0003128903.tif 000004
【図３】
0003128903.tif 000005
【図４】
0003128903.tif 000006
【図５】
0003128903.tif 000007
【図６】
0003128903.tif 000008
【図７】
0003128903.tif 000009
【図８】
0003128903.tif 000010
【図９】
0003128903.tif 000011
【図１０】
0003128903.tif 000012
【図１１】
0003128903.tif 000013
【手続補正書】
【提出日】平成18年11月20日(2006.11.20)
【手続補正１】
【補正対象書類名】実用新案登録請求の範囲
【補正対象項目名】全文
【補正方法】変更
【補正の内容】
【実用新案登録請求の範囲】
【請求項１】
シャーシの一端側の前方角部近傍から下向きに直角に折り曲げた脚片をケーシングの底面に当接させると共に、該シャーシの他端側の前方角部近傍のビス孔を通ってケーシングの底面上に突設したボス部のねじ孔にビスをねじ込むことにより、そのシャーシがケーシング内の所定位置に固定され、前記ボス部に隣接してシャーシに貫通孔を貫設することにより切り残した略コ字状支持片が下向きに直角に折り曲げられ、モードレバーの一端部に形成した長孔状支持孔をシャーシ上の支持ピンに嵌合させると共に、該モードレバーの他端部の一側縁を前記支持片の凹部内に嵌入させることにより、そのモードレバーがシャーシ上に一定範囲内移動可能に配置され、前記シャーシの一端側にヘッドシリンダを間に挟んで一対の長孔状ガイド孔が形成されると共に、該各ガイド孔に一対のガイドピン付き移動台がそれぞれ前後進可能に係合され、該各移動台がローディング機構を介して前記モードレバーの一端部に連動連結され、前記シャーシの他端側にローディングモータにより連動機構を介して正逆回転されるピニオンが配置され、該ピニオンが前記モードレバーの他端部の他側縁に形成したラックに噛合可能に形成されており、ローディング信号に基づいてローディングモータにより連動機構、ピニオン及びラックを介してモードレバーを一方向に移動させることにより、ローディング機構を介して各移動台を各ガイド孔に沿って前進させ、該各移動台上のガイドピンでテープカセットから磁気テープを引き出して前記ヘッドシリンダに巻き付け、アンローディング信号に基づいて前記とは逆の動作によりモードレバーを他方向に移動させることにより、各移動台を各ガイド孔に沿って後進させ、磁気テープをテープカセットに引き込み、前記モードレバーを他方向の終端まで移動させたときに、そのモードレバーの他端部側の端縁が前記支持片の凹部内に位置するようにした磁気テープ装置において、前記支持片のモードレバーの下面に対向する端板部が、該モードレバーの移動方向に対して直交する方向に沿う仮想線からそのモードレバーの中央部に向けて折り曲げられて１５°〜７５°の角度だけ傾斜されると共に、該端板部がモードレバーの他端部の長手方向に沿う中心軸の近傍まで延ばされ、且つ、前記端板部をモードレバーの下面に向けて折り曲げることにより、その端板部の上面がモードレバーの下面にほぼ平行して近接されていることを特徴とする磁気テープ装置。
【請求項２】
シャーシの一端側の前方角部近傍から下向きに直角に折り曲げた脚片をケーシングの底面に当接させると共に、該シャーシの他端側の前方角部近傍のビス孔を通ってケーシングの底面上に突設したボス部のねじ孔にビスをねじ込むことにより、そのシャーシがケーシング内の所定位置に固定され、前記ボス部に隣接してシャーシに貫通孔を貫設することにより切り残した略コ字状支持片が下向きに直角に折り曲げられ、モードレバーの一端部に形成した長孔状支持孔をシャーシ上の支持ピンに嵌合させると共に、該モードレバーの他端部の一側縁を前記支持片の凹部内に嵌入させることにより、そのモードレバーがシャーシ上に一定範囲内移動可能に配置され、前記シャーシの一端側にヘッドシリンダを間に挟んで一対の長孔状ガイド孔が形成されると共に、該各ガイド孔に一対のガイドピン付き移動台がそれぞれ前後進可能に係合され、該各移動台がローディング機構を介して前記モードレバーの一端部に連動連結され、前記シャーシの他端側にローディングモータにより連動機構を介して正逆回転されるピニオンが配置され、該ピニオンが前記モードレバーの他端部の他側縁に形成したラックに噛合可能に形成されており、ローディング信号に基づいてローディングモータにより連動機構、ピニオン及びラックを介してモードレバーを一方向に移動させることにより、ローディング機構を介して各移動台を各ガイド孔に沿って前進させ、該各移動台上のガイドピンでテープカセットから磁気テープを引き出して前記ヘッドシリンダに巻き付け、アンローディング信号に基づいて前記とは逆の動作によりモードレバーを他方向に移動させることにより、各移動台を各ガイド孔に沿って後進させ、磁気テープをテープカセットに引き込み、前記モードレバーを他方向の終端まで移動させたときに、そのモードレバーの他端部側の端縁が前記支持片の凹部内に位置するようにした
磁気テープ装置において、前記支持片のモードレバーの下面に対向する端板部が、該モードレバーの移動方向に対して直交する方向に沿う仮想線からそのモードレバーの中央部に向けて折り曲げられて１５°〜７５°の角度だけ傾斜されていることを特徴とする磁気テープ装置。
【請求項３】
前記支持片の端板部がモードレバーの他端部の長手方向に沿う中心軸の近傍まで延ばされていることを特徴とする請求項２に記載の磁気テープ装置。
【請求項４】
前記支持片の端板部をモードレバーの下面に向けて折り曲げることにより、その端板部の上面がモードレバーの下面にほぼ平行して近接されていることを特徴とする請求項２または３に記載の磁気テープ装置。
【手続補正２】
【補正対象書類名】明細書
【補正対象項目名】００１８
【補正方法】変更
【補正の内容】
【００１８】
上記目的を達成するため、請求項１に記載の考案は、シャーシの一端側の前方角部近傍から下向きに直角に折り曲げた脚片をケーシングの底面に当接させると共に、該シャーシの他端側の前方角部近傍のビス孔を通ってケーシングの底面上に突設したボス部のねじ孔にビスをねじ込むことにより、そのシャーシがケーシング内の所定位置に固定され、前記ボス部に隣接してシャーシに貫通孔を貫設することにより切り残した略コ字状支持片が下向きに直角に折り曲げられ、モードレバーの一端部に形成した長孔状支持孔をシャーシ上の支持ピンに嵌合させると共に、該モードレバーの他端部の一側縁を前記支持片の凹部内に嵌入させることにより、そのモードレバーがシャーシ上に一定範囲内移動可能に配置され、前記シャーシの一端側にヘッドシリンダを間に挟んで一対の長孔状ガイド孔が形成されると共に、該各ガイド孔に一対のガイドピン付き移動台がそれぞれ前後進可能に係合され、該各移動台がローディング機構を介して前記モードレバーの一端部に連動連結され、前記シャーシの他端側にローディングモータにより連動機構を介して正逆回転されるピニオンが配置され、該ピニオンが前記モードレバーの他端部の他側縁に形成したラックに噛合可能に形成されており、ローディング信号に基づいてローディングモータにより連動機構、ピニオン及びラックを介してモードレバーを一方向に移動させることにより、ローディング機構を介して各移動台を各ガイド孔に沿って前進させ、該各移動台上のガイドピンでテープカセットから磁気テープを引き出して前記ヘッドシリンダに巻き付け、アンローディング信号に基づいて前記とは逆の動作によりモードレバーを他方向に移動させることにより、各移動台を各ガイド孔に沿って後進させ、磁気テープをテープカセットに引き込み、前記モードレバーを他方向の終端まで移動させたときに、そのモードレバーの他端部側の端縁が前記支持片の凹部内に位置するようにした磁気テープ装置において、前記支持片のモードレバーの下面に対向する端板部が、該モードレバーの移動方向に対して直交する方向に沿う仮想線からそのモードレバーの中央部に向けて折り曲げられて１５°〜７５°の角度だけ傾斜されると共に、該端板部がモードレバーの他端部の長手方向に沿う中心軸の近傍まで延ばされ、且つ、前記端板部をモードレバーの下面に向けて折り曲げることにより、その端板部の上面がモードレバーの下面にほぼ平行して近接されていることを特徴としている。
【手続補正３】
【補正対象書類名】明細書
【補正対象項目名】００１９
【補正方法】変更
【補正の内容】
【００１９】
請求項２に記載の考案は、シャーシの一端側の前方角部近傍から下向きに直角に折り曲げた脚片をケーシングの底面に当接させると共に、該シャーシの他端側の前方角部近傍のビス孔を通ってケーシングの底面上に突設したボス部のねじ孔にビスをねじ込むことにより、そのシャーシがケーシング内の所定位置に固定され、前記ボス部に隣接してシャーシに貫通孔を貫設することにより切り残した略コ字状支持片が下向きに直角に折り曲げられ、モードレバーの一端部に形成した長孔状支持孔をシャーシ上の支持ピンに嵌合させると共に、該モードレバーの他端部の一側縁を前記支持片の凹部内に嵌入させることにより、そのモードレバーがシャーシ上に一定範囲内移動可能に配置され、前記シャーシの一端側にヘッドシリンダを間に挟んで一対の長孔状ガイド孔が形成されると共に、該各ガイド孔に一対のガイドピン付き移動台がそれぞれ前後進可能に係合され、該各移動台がローディング機構を介して前記モードレバーの一端部に連動連結され、前記シャーシの他端側にローディングモータにより連動機構を介して正逆回転されるピニオンが配置され、該ピニオンが前記モードレバーの他端部の他側縁に形成したラックに噛合可能に形成されており、ローディング信号に基づいてローディングモータにより連動機構、ピニオン及びラックを介してモードレバーを一方向に移動させることにより、ローディング機構を介して各移動台を各ガイド孔に沿って前進させ、該各移動台上のガイドピンでテープカセットから磁気テープを引き出して前記ヘッドシリンダに巻き付け、アンローディング信号に基づいて前記とは逆の動作によりモードレバーを他方向に移動させることにより、各移動台を各ガイド孔に沿って後進させ、磁気テープをテープカセットに引き込み、前記モードレバーを他方向の終端まで移動させたときに、そのモードレバーの他端部側の端縁が前記支持片の凹部内に位置するようにした磁気テープ装置において、前記支持片のモードレバーの下面に対向する端板部が、該モードレバーの移動方向に対して直交する方向に沿う仮想線からそのモードレバーの中央部に向けて折り曲げられて１５°〜７５°の角度だけ傾斜されていることを特徴としている。
【手続補正４】
【補正対象書類名】明細書
【補正対象項目名】００２３
【補正方法】変更
【補正の内容】
【００２３】
そこで、端板部の傾斜角度が１５°〜７５°に設定されており、これによって、アンローディング信号に基づいてモードレバーを他方向の終端まで移動させた状態で、例えば落下試験などで磁気テープ装置を所定高さ位置から落下させたとしても、その落下の衝撃に対抗して端板部がモードレバーの下面を確実に支持し、該モードレバーのラックがピニオンから不測に外れないようにすることができる。
【手続補正５】
【補正対象書類名】明細書
【補正対象項目名】００２７
【補正方法】変更
【補正の内容】
【００２７】
そこで、端板部の傾斜角度が１５°〜７５°に設定されており、これによって、アンローディング信号に基づいてモードレバーを他方向の終端まで移動させた状態で、例えば落下試験などで磁気テープ装置を所定高さ位置から落下させたとしても、その落下の衝撃に対抗して端板部がモードレバーの下面を確実に支持し、該モードレバーのラックがピニオンから不測に外れないようにすることができる。
【手続補正６】
【補正対象書類名】明細書
【補正対象項目名】００３０
【補正方法】変更
【補正の内容】
【００３０】
図１及び図２は本考案の第１の実施の形態である磁気テープ装置を示すものであって、図１は磁気テープ装置の裏面図、図２は同要部の斜視図であり、モードレバー８の他端部８Ｂの一側縁８ａに係合する支持片６の端板部６Ａがモードレバー８の移動方向ａ，ｂに対して直交する方向に沿う仮想線ｋからそのモードレバー８の中央部に向けて折り曲げられて１５°〜７５°の角度αだけ傾斜されている。上記以外の構成は図７〜図１１に示す構成とほぼ同じであるから、同一部分に同一符号を付してその説明を省略する。
【手続補正７】
【補正対象書類名】明細書
【補正対象項目名】００３２
【補正方法】変更
【補正の内容】
【００３２】
そこで、端板部６Ａの傾斜角度αが１５°〜７５°に設定されており、これによって、アンローディング信号に基づいてモードレバー８を他方向ｂの終端まで移動させた状態で（図１参照）、例えば落下試験などで磁気テープ装置を所定高さ位置から落下させたとしても、その落下の衝撃に対抗して端板部６Ａがモードレバー８の下面８ｄを確実に支持し、該モードレバー８のラック２２がピニオン２１ａから不測に外れないようにすることができる。